(57)【要約】【課題】シート周辺領域において荷物の温度調節が可能で、かつ運転席に着座する乗員が簡便に使用可能な温調装置を提供すること。【解決手段】シートクッションに乗員が着座可能な着座位置と、前記シートクッションを上方移動させた離間位置との間を移動自在にする可動部を有するシートに設けられる温調装置であって、前記シートクッションの下方に設けられ、底部及び側部を有し、前記底部と前記側部と前記着座位置に位置する前記シートクッションとにより閉鎖領域が形成可能な収容部と、前記シートクッション又は前記収容部に設けられ、前記シートクッションが前記離間位置に位置しているときに前記収容部を覆蓋可能なカバー部材と、前記収容部の温度調節を行う温調部と、を備える、温調装置。【選択図】図２
2019111951.tif 000002
【特許請求の範囲】
【請求項１】
乗員が着座可能な着座位置と前記着座位置から上方へ離間させた離間位置との間でシートクッションを移動自在に支持する可動部を有するシートに設けられて成る温調装置であって、
前記シートクッションの下方に設けられ、底部及び側部を有し、前記底部と前記側部と前記着座位置に位置する前記シートクッションとにより閉鎖領域が形成される収容部と、
前記シートクッション又は前記収容部に設けられ、前記シートクッションが前記離間位置に位置しているときに前記収容部を覆蓋可能なカバー部材と、
前記収容部の温度調節を行う温調部と、を備える、
温調装置。
【請求項２】
前記可動部は、前記シートクッションを回動可能に軸支する軸部を有する、
請求項１に記載の温調装置。
【請求項３】
前記収容部は、前記温調部により温度調節された空気の流入口を、前記底部又は前記側部に有する、
請求項１又は２に記載の温調装置。
【請求項４】
前記温調部は、前記収容部の温度調節の制御を行う制御部を有し、
前記制御部は、前記シートクッションが上方に移動したとき、又は、前記カバー部材が前記収容部を覆蓋したときに、前記温度調節の制御を行う、
請求項１〜３のいずれかに記載の温調装置。
【請求項５】
前記温調部による前記収容部の温度調節は、乗員用の温度調節とは独立して行われる、
請求項１〜４のいずれかに記載の温調装置。
【発明の詳細な説明】
【技術分野】
【０００１】
本発明は、温調装置、特にシート周辺領域において荷物の温度調節が可能で、かつ運転席に着座する乗員が簡便に使用可能な温調装置に関する。
【背景技術】
【０００２】
従来、乗員に対して冷風又は温風を吹き付けることで快適な乗車空間を形成するための温調装置が様々提案されてきた。例えば、乗員の上半身側又は下半身側だけを集中的に冷房又は暖房でき、車室内における空調効率を向上するために、展開することでシートに着座している乗員の上体の前方側のスペースを上下に仕切る仕切部材を設けることで、吹出口からの送風を乗員の上半身又は下半身に集中的に当てることができる車室内送風調節構造などがある（特許文献１参照）。
【先行技術文献】
【特許文献】
【０００３】
【特許文献１】特開２０１０−０１３０６３号公報
【発明の概要】
【発明が解決しようとする課題】
【０００４】
上述したように、乗員の快適性の向上を図るための温調装置はあった。
なお、適宜の荷物も車室内に積載することがある。この場合、温かい状態又は冷たい状態を維持する必要のある荷物を積載することもあった。上述したような乗員に特化した温調装置では、人体とは異なるものである荷物に適した温度調節が困難な場合があった。
また、荷物が大きな容量を有していない場合、荷物を車室の後方側に設けられる荷室に積載するのではなく、車室内の運転席に近い領域に積載したいとの要求もあった。
【０００５】
これに鑑みて、本発明が解決しようとする課題は、シート周辺領域において荷物の温度調節が可能で、かつ運転席に着座する乗員が簡便に使用可能な温調装置を提供することである。
【課題を解決するための手段】
【０００６】
前記課題を解決するための手段として、本発明に係る温調装置は、乗員が着座可能な着座位置と前記着座位置から上方へ離間させた離間位置との間でシートクッションを移動自在に支持する可動部を有するシートに設けられて成る温調装置であって、前記シートクッションの下方に設けられ、底部及び側部を有し、前記底部と前記側部と前記着座位置に位置する前記シートクッションとにより閉鎖領域が形成される収容部と、前記シートクッション又は前記収容部に設けられ、前記シートクッションが前記離間位置に位置しているときに前記収容部を覆蓋可能なカバー部材と、前記収容部の温度調節を行う温調部と、を備える。
【０００７】
本発明に係る温調装置において、前記可動部は、前記シートクッションを回動可能に軸支する軸部を有することが好ましい。
【０００８】
本発明に係る温調装置において、前記収容部は、前記温調部により温度調節された空気の流入口を、前記底部又は前記側部に有することが好ましい。
【０００９】
本発明に係る温調装置において、前記温調部は、前記収容部の温度調節の制御を行う制御部を有し、前記制御部は、前記シートクッションが上方に移動したとき、又は、前記カバー部材が前記収容部を覆蓋したときに、前記温度調節の制御を行うことが好ましい。
【００１０】
本発明に係る温調装置において、前記温調部による前記収容部の温度調節は、乗員用の温度調節とは独立して行われることが好ましい。
【発明の効果】
【００１１】
本発明によると、シートクッションを離間位置まで上方に移動して適宜の荷物を収容部に収容し、カバー部材により荷物の収容された収容部を覆蓋した上で、温調部による収容部の温度調節を行うことで、収容部内の荷物の温度調節が可能となる。更に、助手席に設けることで運転席に着座する乗員が簡便に使用可能な温調装置を提供することができる。
【図面の簡単な説明】
【００１２】
【図１】図１は、本発明の一実施形態である温調装置を備えたシートを示す概略図である。
【図２】図２は、図１に示したシートに荷物を収容した状態を示す概略図である。
【図３】図３（ａ）〜（ｃ）は、本発明に係る温調装置において、温調部から吹き出す温度調節された空気の収容部内への導入形態を示す概略図である。
【図４】図４（ａ）〜（ｂ）は、本発明に係る温調装置において、カバー部材の別形態を示す概略図である。
【図５】図５は、図１及び２に示した温調装置を用いて収容部の温度調節を行う際の制御フローについて示すフローチャート図である。
【発明を実施するための形態】
【００１３】
本発明に係る温調装置の一実施形態について、図１及び図２を参照しつつ説明する。
なお、図１は、本発明の一実施形態である温調装置１を備えたシート１００を示す概略図である。図２は、図１に示したシート１００に荷物Ｂを収容した状態を示す概略図である。
【００１４】
図１に示すように、温調装置１はシート１００下部に設けられる。シート１００は、乗員が着座可能なシートクッション１０１と、乗員が背面をもたれさせることのできるシートバック１０２とを有する。シートクッション１０１及びシートバック１０２はそれぞれ独立して回動可能なように軸状部材を有しており、シートクッション１０１には第１軸部１０３が後方側に左右方向に沿って設けられ、シートバック１０２には第２軸部１０４が下方側に左右方向に沿って設けられている。第１軸部１０３によりシートクッション１０１は前方側が上下に回動可能に軸支され、第２軸部１０４によりシートバック１０２は上方側が前後に回動可能に軸支されている。
なお、第１軸部１０３は、本発明に係る温調装置が設けられるシートにおいて、シートクッションに配置されて成る可動部の一形態である。
【００１５】
第１軸部１０３は、シートクッション１０１を回動により上方移動可能にする。第１軸部１０３は、シートクッション１０１を上方移動させる際に、所定の位置又は任意の位置でシートクッション１０１を固定可能なようにロック機構を有する。
シートクッション１０１の回動角度は、例えば運転席に着座する乗員が後述の収容部２に荷物を収容し易くなる程度に収容部２を露出させることのできる角度、又は、回動したシートクッション１０１とシートバック１０２とが干渉しにくい角度などを考慮して適宜に設定することができる。
【００１６】
温調装置１は、収容部２と、カバー部材と、温調部３とを備える。
なお、本実施形態におけるカバー部材は、シートクッション１０１の座面の裏側における回動端部側に配置された巻取部４に巻き取られて成り、図１には図示していない。また、本実施形態では温調部３の駆動及び停止のために検知部５が設けられている。
カバー部材及び検知部５については、図２を参照しつつ後述する。
【００１７】
収容部２は、上方に移動したシートクッション１０１の下部において荷物を収容する。収容部２は、シートクッション１０１の下方に設けられ、共に平板状部位である底部２１及び側部２２を有し、上方が開放されて成る断面角形状の器型部材である。底部２１は車両床面であるフロア部２００と略平行に配置され、側部２２は底部２１の前後左右の各端部に立設される。図１に示すように、収容部２は、シートクッション１０１とフロア部２００との間に配置され、底部２１と側部２２と図１に示す初期位置（着座位置）に位置するシートクッション１０１とによって閉鎖領域が形成されるようになっている。
【００１８】
温調部３は、収容部２内部の温度調節を行う。温調部３による温度調節は、冷風又は温風を収容部２内に導入して、収容部２に収容される荷物の温度を維持又は昇降させることで実現される。
【００１９】
温調部３は、制御部３１及び送出部３２を有する。
制御部３１は、収容部２の温度調節の制御を行うものであり、具体的には送出部３２の駆動制御を行う。制御部３１としては、例えば様々な車室内の機器の駆動制御を行うための車載用演算装置などを用いることができる。
送出部３２は、空気の温度調節を行い、温度調節された空気を収容部２に向けて送出する。送出部３２としては、例えば車載用の暖房、換気及び空調（ＨＶＡＣ）システムなどを用いることができる。
制御部３１及び送出部３２の制御及び動作については後述する。
【００２０】
図２には、シートクッション１０１を回動させ、カバー部材６を展開した状態の温調装置１を示している。図２に示すように、シートクッション１０１は、乗員が着座可能な着座位置（一点鎖線で示す初期位置）から、第１軸部１０３を中心にして回動することで離間位置（実線）まで上方に離間する。シートクッション１０１は、離間位置に移動する際に、着座位置と共に収容部２の上部からも離間することになる。これにより、移動前のシートクッション１０１によって閉鎖されていた収容部２の上方が開放状態となるので、収容部２に荷物Ｂが収容可能となる。
【００２１】
なお、収容部２に収容するのが好ましい荷物Ｂは、温度管理が望ましいものであり、具体的には常温より低温が必要なものとして冷蔵食品、冷凍食品、生鮮食品、及び腐敗しやすいものなどが挙げられ、常温より高温が必要なものとして温かい食品などが挙げられる。冷風及び温風のいずれが必要であるかは、乗員が手動で設定しても良く、自動で設定されても良い。この自動設定形態としては、例えば収容部２に温度センサを付設して、荷物Ｂが常温より低温であると検知されれば温度設定を低温にすると共に、常温より高温であると検知されれば温度設定を高温に設定する形態などが採用可能である。
【００２２】
カバー部材６は、収容部２に荷物Ｂを収容した後に設置される。カバー部材６は、本実施形態ではシートクッション１０１に設けられ、シートクッション１０１が離間位置に位置しているときに収容部２を覆蓋可能である。カバー部材６は、不使用時には巻取部４に巻き取られ、使用時に巻取部４から引き出して用いる可撓性のシート状部材である。本実施形態におけるカバー部材６及び巻取部４の左右幅は、シートクッション１０１の左右幅と略同一の大きさを有する。カバー部材６は一端部が巻取部４に固定され、他端部が車室内の適宜の部位に固定可能になっている。カバー部材６は、シート１００近傍のサイドウィンドウ又はフロントウィンドウから入射し得る日光が荷物Ｂに当たるのを防止するために、遮光材料で形成されるのが好ましい。可撓性を有するシート状のカバー部材６は、巻取部４での巻取り収納に代えて、ジャバラ状に折り畳んでシートクッション１０１の座面の裏側に面ファスナーなどで留めて収納しておいても良い。
なお、本発明においては、図２に示す実施形態のようにカバー部材６が収容部２に被さるように収容部２の上方空間に展開した状態を、側方部分は開放状態であっても、カバー部材６が収容部２を覆蓋したこととする。
【００２３】
巻取部４から引き出されたカバー部材６は、収容部２の前方側の側部２２に配置されて成る係止部７に対して係止されることで、略固定状態となる。係止部７の係止形態は特に制限されず、フック状部材を用いた引っ掛け形態であっても良く、ワンタッチで固定可能なバックル部材を用いた係合形態であっても良く、マグネットを用いた吸着形態であっても良く、面ファスナーを用いた貼着形態であっても良い。
なお、図２に示す実施形態では、カバー部材６はシートクッション１０１が離間位置に移動した後に巻取部４から略下方に引き出されていたが、本発明においてカバー部材は上記係止部７のような固定用部材に予め固定されていても良い。この場合、シートクッションが離間位置に移動する際に、シートクッションの移動にともなってカバー部材が引き出されるので、シートクッションの移動操作だけで収容部の覆蓋状態の実現も可能となる。収容部に荷物を収容するときには、予め固定されているカバー部材の固定状態を一旦解除しても良く、開放されている側方部分から収容部内に荷物を挿入しても良い。
【００２４】
図１に示した検知部５は、シートクッション１０１の移動、及び、カバー部材６の固定を検知するようになっている。シートクッション１０１の上方への移動の検知は、例えば第１軸部１０３に付設される回動角度を検出可能なセンサなどにより、所定の回動角度を超えたことを検出されたときに上方移動を検知したこととする。またカバー部材６の固定の検知は、例えばカバー部材６の他端部が係止部７に係止されたことを検出するセンサなどにより可能となる。
図１に示すように、検知部５は検知結果を温調部３に出力可能になっている。
【００２５】
収容部２の前方側の側部２２には、流入口８が設けられている。流入口８は、収容部２に形成される貫通孔であり、温調部３により温度調節された空気を収容部２内に導入するための開口部である。流入口８は、温度調節された空気を導入可能である限り様々な形態を採用することができ、例えば常時開口している単なる開口部であっても良く、積極的に空気を導入するファンを取り付けても良く、開閉可能なシャッタを取付けても良い。
【００２６】
本発明において、流入口を介した収容部内への空気の導入形態として様々な形態を採り得る。ここで、図３を参照しつつ収容部内への空気の導入形態について説明する。
なお、図３（ａ）〜（ｃ）は、温調部から吹き出す温度調節された空気の収容部内への導入形態を示す概略図である。図３に示す実施形態の説明において、図１及び２に示した部材と同様の部材を用いる場合は、同一の参照符号を付すこととし、詳細な説明を省略する。
【００２７】
図３（ａ）に示す実施形態は、図１及び２に示した実施形態と同様であり、温調部３からの空気の導入を具体的に示したものである。図３（ａ）に示すように、インストルメントパネル３００（以下、「インパネ」と称する）の内部に配置される温調部３で温度調節された空気は、シート１００の足元領域に配置される吹出口３０１を介して流入口８に向けて車室内に吹き出される。吹出口３０１から吹き出された空気は、略直進して収容部２における前方側の側部２２に設けられた流入口８を介して収容部２内に流入する。
図３（ａ）に示す実施形態では、温調部３はインパネ３００の内部に設けられる車室内全体の空調用として用いる部材（暖房、換気、空調（ＨＶＡＣ）システムなど）を共用している。温調部３は、通常は車内空調用の温度調節を行うと共に、収容部２に向けて吹き出す場合のみ、車室内全体の空調用の設定とは温度設定を独立させることで荷物の性質に応じた任意の設定温度を実現可能となっている。
【００２８】
図３（ｂ）に示す実施形態は、図３（ａ）に示した実施形態の空気の導入経路を変更したものである。図３（ｂ）に示すように、温調装置１１にはダクト３３が設けられている。インパネ３００の内部に配置される温調部３で温度調節された空気は、フロア部２００の下方に埋設されてシート１００の下方まで延在して成るダクト３３を介してシート１００まで到達する。更に、ダクト３３の端部が収容部２の底部２１を貫通して挿入されることで形成された流入口８１を介して、温調部３からの空気が収容部２内に流入する。
図３（ｂ）に示す実施形態では、図３（ａ）に示した実施形態と同様に、温調部３は車室内全体の空調用として用いる部材（ＨＶＡＣシステムなど）を共用している。フロア部２００の下方を介して収容部２まで延在するダクト３３を用いることで、吹き出した空気の車室内への拡散などを考慮する必要が無く、収容部２内に確実に温度調節された空気を導入可能である。
【００２９】
なお、図３（ｂ）に示す実施形態の更なる変形例として、温調装置１１のダクト３３をシート空調にも利用する形態を挙げることができる。具体的には、この変形例は、シート１００のシートクッション１０１及びシートバック１０２から温度調節された空気が吹き出すシート空調のためにシートクッション１０１などの内部に配設されるダクトと、上記ダクト３３の端部とを、シートクッション１０１が初期位置にあるときは接続可能なように、図３（ｂ）に示すダクト３３を上方に延在させて成る形態である。この形態によって、シートクッション１０１を上方移動させない状態では助手席に着座する乗員のためのシート空調を行うと共に、シートクッション１０１を上方移動させた状態では荷物Ｂの温度調節を行うことができ、様々な状況に無駄なく対応することができるようになる。
【００３０】
図３（ｃ）に示す実施形態は、シート１００に独立した温調部３０を配置したものである。図３（ｃ）に示すように、温調装置１２では、フロア部２００上に配置され、シート１００の固定及び配置用のベース部材１０５の内部でかつ収容部２の後方に温調部３０を設けている。温調部３０で温度調節された空気は、収容部２における後方側の側部２２に設けられた流入口８２を介して収容部２内に流入する。
図３（ｃ）に示す実施形態では、インパネ３００の内部に設けられる車室内全体の空調用として用いる部材（ＨＶＡＣシステムなど）とは独立した別部材として温調部３０を設けることとしている。温調部３０は、シート１００に付設されることで収容部２に近接しているので、温調部３０から吹き出した後に収容部２内に導入されるまでの間で、空気の意図しない温度変化が生じにくい。
【００３１】
空気の導入形態と同様に、カバー部材についても図４に示すように様々な形態を採り得る。
なお、図４（ａ）〜（ｂ）は、本発明に係る温調装置において、図２に示したカバー部材６とは別形態のカバー部材を示す概略図である。
【００３２】
図４（ａ）に示す実施形態は、カバー部材を収容部に取付けたものである。図４（ａ）に示すように、温調装置１３にはカバー部材６１が設けられている。カバー部材６１は、上記カバー部材６と同様に可撓性の遮光シート状部材である。カバー部材６１における上記カバー部材６との相違点は、取付位置及び係止位置である。カバー部材６１を不使用時に巻き取る巻取部４１が、収容部２１０の前方側の側部２１１における上端部に設けられている。また、カバー部材６１の使用時に収容部２１０を覆蓋状態とするために、カバー部材６１の端部を係止しておく係止部７１は、収容部２１０の後方側の側部２１１における上端部に設けられている。これにより、荷物Ｂを収容部２１０内に収容した後に、カバー部材６１を巻取部４１から後方に展開して係止部７１で固定することで、収容部２１０が覆蓋状態となる。
図４（ａ）に示す実施形態では、収容部２１０を覆蓋したときに車室内空間と収容部２１０内との空間とが連通する隙間が生じにくいので、収容部２１０の温度調節効率の向上を図ることができる。
【００３３】
図４（ｂ）に示す実施形態は、板状部材のカバー部材を設けたものである。図４（ｂ）に示すように、温調装置１４にはカバー部材６２が設けられている。カバー部材６２は、上記カバー部材６と同位置に配置されている。カバー部材６２における上記カバー部材６との相違点は、カバー部材の材料と収容部２２０の覆蓋形態とを上げることができる。カバー部材６２は、樹脂又は金属などで形成される硬質の板状部材であり、収容部２２０の覆蓋を行う前は一点鎖線で示すようにシートクッション１０１の収容部２２０に臨んでいた面、つまりシートクッション１０１の座面の裏側部に沿って配置される。シートクッション１０１が離間位置に位置するときに、カバー部材６２は、シートクッション１０１の座面の裏側部に設けられるヒンジ部４２を中心として、前方に回動可能となっている。カバー部材６２は、シートクッション１０１に沿った初期位置から回動させた後に、図２に示した形態と略同位置に設けられる係止部７２に固定される。なお、ヒンジ部４２は、収容部２４０側に設けられていても良い。
図４（ｂ）に示す実施形態では、カバー部材６２は可撓性を有するシート状のカバー部材６よりも剛性を有するので、上方に移動したシートクッション１０１を下方からカバー部材６２がガタつき無く支持可能である。これにより、シートクッション１０１の固定状態が車両の走行中に生じる振動などによって意図せず解除されることが生じにくくなる。よって、温調部３による収容部２２０の温度調節が安定的に達成される。
【００３４】
ここで、上記温調装置１を用いる際の制御について、図５を参照しつつ説明する。
なお、図５は、図１、２及び３（ａ）に示した温調装置１を用いて収容部２の温度調節を行う際の制御フローについて示すフローチャート図である。
【００３５】
先ず、荷物Ｂを持って運転席に着座している乗員が、助手席であるシート１００のシートクッション１０１を上方に移動させる（ステップＳ１）。本工程により、シートクッション１０１により覆蓋されていた収容部２上方が開放される。
本工程は、シート構造の簡素化のために基本的には手動で行われるが、必要であればシートクッション１０１の上下移動スイッチを車室内に設けると共に、第１軸部１０３にアクチュエータなどを設けることで自動化しても良い。
【００３６】
次いで、収容部２に乗員が持っていた荷物Ｂを収容する（ステップＳ２）。本工程において乗員は、隣接するシートクッション１０１上に荷物Ｂを置く動作と略同一動作で、荷物Ｂを収容部２内に置くことができるので簡素な動作で完了する。
なお、荷物Ｂの収容動作の前後で、温調部３における送出部３２が収容部２に向かって吹き出す空気の温度設定を制御部３１で行うことが好ましい。温度設定は手動で乗員が行っても良く、収容部２に温度センサを付設しておいて荷物Ｂの温度に応じてその温度を維持するための温度設定を自動で行っても良い。
【００３７】
更に、カバー部材６が係止部７に係止されて固定状態にあるか否かを、温調部３の制御部３１が判別する（ステップＳ３）。本工程では、検知部５の検知結果に基づいて、カバー部材６が固定されていると判別された場合に、次工程に移る（ステップＳ３のＹＥＳ）。カバー部材６が固定されていないと判別された場合、カバー部材６の固定まで本工程を繰り返すこととする（ステップＳ３のＮＯ）。
本実施形態においては、検知部５はシート１００の離間位置での固定の有無も検知可能となっているので、カバー部材６の固定の有無に代えて、又は、カバー部材６の固定の有無と共に、シート１００が固定されているか否かを判別対象としても良い。
【００３８】
カバー部材６が固定されている場合は（ステップＳ３のＹＥＳ）、続いてシート１００の前方に設置される足元空調が駆動しているか否かを温調部３の制御部３１が判別する（ステップＳ４）。本実施形態では車室内全体用の、つまり乗員用の空調に供される温調部３を収容部２の温度調節用としても共用しているので、既にシート１００の足元、つまり収容部２付近に空調がなされているか否かで、温調部３の動作態様を分ける必要がある。
【００３９】
温調部３によるシート１００の足元空調が駆動している場合は（ステップＳ４のＹＥＳ）、送出部３２における送出空気の温度設定で足元空調のみを荷物Ｂに合わせた設定に変更する（ステップＳ５２）。温調部３による足元空調は駆動を維持したままで良い。
また、シート１００の足元空調が駆動していない場合は（ステップＳ４のＮＯ）、荷物Ｂのために送出部３２を駆動する（ステップＳ５１）。
前工程（ステップＳ４）の判別結果がいずれであっても、結果として、図３（ａ）に示したように、送出部３２により温度調節された空気は、インパネ３００の下部に設けられる吹出口３０１と収容部２の前部に設けられる流入口８とを介して、収容部２内に流入する。本実施形態におけるカバー部材６を固定した収容部２は、側方が開放状態であるものの、上方がカバー部材６で覆われているので、収容部２内に流入した冷気又は暖気が収容部２内で滞留し易い。これにより、荷物Ｂは、乗員が意図した温度である常温よりも低温又は高温に維持される。
なお、収容部２における側方の隙間を低減するには、例えば側方にも追加のカバー部材を設ける形態、又は、荷物Ｂを収容した後にシートクッション１０１を荷物Ｂに近接する位置まで下方に移動させる形態などを採用するのが好ましい。
【００４０】
本実施形態では、温調部３による収容部２の温度調節は、特に送出部３２の送出空気の温度設定が、乗員のための車室内全体の空調とは独立して行われる。通常、車室内全体の空調としては冷房であれば２５℃前後、暖房であれば３０℃前後であることが多いが、例えば冷蔵食品、冷凍食品に対しては１５℃以下、温かい弁当などに対しては３５℃以上であることが好ましい。温度調節に係る設定及び制御などを、車室内全体用と収容部２用とで独立させることで、乗員にとっても荷物Ｂにとっても適切な空調が可能となる。
【００４１】
本発明に係る温調装置は、運転席に着座している乗員が、隣接する助手席領域に荷物を置く際に片手で簡便に使用することのできるものである。なお、温調装置を片手で使用し易くするために、例えばシートクッションを運転席側から上方に移動させ易い構造であるのが好ましい。このためには、シートクッションの可動部の一形態として上述した第１軸部などを、シートクッションの前端側又は後端側に車両左右方向に沿って配置する形態、又はシートクッションの窓側の側部に車両前後方向に沿って配置する形態などが採用可能である。
【００４２】
なお、上述した実施形態ではシートクッションの上方への移動形態が軸状部材を中心とした回動形態であったが、軸状部材に代え上下方向に伸縮自在のバネ機構などをシートクッションに設けることでシートクッションを傾斜させずに上方に平行移動させる形態であっても良い。
【００４３】
以上、本発明者によってなされた発明を適用した実施形態について説明したが、この実施形態による本発明の開示の一部をなす論述及び図面により、本発明は限定されることはない。すなわち、この実施形態に基づいて当業者等によりなされる他の実施形態、実施例及び運用技術等は全て本発明の範疇に含まれることは勿論であることを付け加えておく。
【符号の説明】
【００４４】
１、１１、１２、１３及び１４：温調装置、２、２１０及び２２０：収容部、２１：底部、２２、２１１及び２２１：側部、３及び３０：温調部、３１：制御部、３２：送出部、３３：ダクト、４及び４１：巻取部、４２：ヒンジ部、５：検知部、６、６１及び６２：カバー部材、７、７１及び７２：係止部、８、８１及び８２：流入口、１００：シート、１０１：シートクッション、１０２：シートバック、１０３：第１軸部、１０４：第２軸部、１０５：ベース部材、２００：フロア部、３００：インパネ、３０１：吹出口、Ｂ：荷物
【図１】
2019111951.tif 000003
【図２】
2019111951.tif 000004
【図３】
2019111951.tif 000005
【図４】
2019111951.tif 000006
【図５】
2019111951.tif 000007